(57)【要約】【課題】クロノグラフ指針が分秒の二つからなる場合に、確実に自己位置調整機能を有し得るクロノグラフ機構及びクロノグラフ時計の提供【解決手段】クロノグラフ時計のクロノグラフ機構２は、複数の復針伝えレバーからなる復針伝えレバー機構６と復針レバー５０とを有する。復針レバーの案内腕部の案内用長穴５６，５７は、分及び秒ハンマーが分及び秒ハートカムに圧接される際の該長穴と二本のガイドピン５１，５２との圧接時隙間が、分及び秒ハンマーが分及び秒ハートカムから離れた際の該長穴とガイドピンとの圧接前隙間よりも大きくなるように形成される。ガイドピンはクロノグラフの分真及び秒真を結ぶ線に交差する向きに並んでいる。復針レバーの被作動部５３ａが引かれる向きに第三の復針伝えレバーの作動部２４ｄから受ける力Ｆと分及び秒ハートカムから受ける反力Ｆ１，Ｆ２とが釣合う際に復針レバーの位置が動作中に調整される。【選択図】図１
2010181396.tif 000002
【特許請求の範囲】
【請求項１】
分ハートカム及び秒ハートカムと、
リセットボタンの押圧に応じて順次回動される複数の復針伝えレバーからなる復針伝えレバー構造体であって該複数の復針伝えレバーのうち最終段の復針伝えレバーが復針レバー作動部を備えるものと、
該復針レバー作動部による力を受ける被作動部を基端側端部に有し分ハートカムのある分クロノグラフ真及び秒ハートカムのある秒クロノグラフ真の間を貫通するように延在した案内腕部、並びに該案内腕部の先端側端部から分ハートカム及び秒ハートカムの夫々に向かって延び先端に分ハートカム及び秒ハートカムに圧接されて該分ハートカム及び秒ハートカムを帰零させる分ハンマー及び秒ハンマーを有する一対の出力側腕部を備えた剛性の復針レバーと、
前記復針レバーの案内腕部の延在方向の前後に配置された二本のガイドピンと
を具備するクロノグラフ機構であって、
前記復針レバーは、前記案内腕部に、前記二本のガイドピンが嵌合される案内用長穴であって、前記分ハンマー及び秒ハンマーが分ハートカム及び秒ハートカムに圧接される位置にある際における前記二本のガイドピンの夫々と案内用長穴との圧接時隙間が、前記分ハンマー及び秒ハンマーが分ハートカム及び秒ハートカムから離れた位置にある際における前記先端側ガイドピンと案内用長穴との圧接前隙間よりも大きいように形成されたものを有し、
前記圧接時隙間は、復針レバーの前記被作動部が引かれる向きに前記最終段の復針伝えレバーの前記復針レバー作動部によって受ける力と前記分ハンマー及び秒ハンマーが分ハートカム及び秒ハートカムに圧接される際に該分ハートカム及び秒ハートカムから受ける反力とが釣合うように該三つの力によって該分ハンマー及び秒ハンマーの位置が動作中に調整されるのを可能にすべく構成されたクロノグラフ機構。
【請求項２】
前記最終段の復針伝えレバーの前記復針レバー作動部が長穴からなり、前記復針レバーの前記被作動部が該長穴に係合したピンからなり、前記二つのガイドピンと案内用長穴との間に圧接時隙間が形成される位置に復針レバーが移動された際、復針レバー作動部として働く長穴の壁部が被作動部として働くピンを案内用長穴の延在方向に平行な向きに引くように構成された請求項１に記載のクロノグラフ機構。
【請求項３】
前記二本のガイドピンは、分ハートカム及び秒ハートカムの回転中心を結ぶ仮想線を垂直二等分する案内線に沿って配置され、分ハンマー及び秒ハンマーが分ハートカム及び秒ハートカムから離れた位置にある際、分ハンマー及び秒ハンマーの分ハートカム及び秒ハートカムに対する圧接面が前記案内線に関して鏡映対称になっている請求項１又は２に記載のクロノグラフ機構。
【請求項４】
前記案内用長穴は、前記二本のガイドピンの夫々が別々に嵌合される相互に分離された穴部分からなる請求項１から３までのいずれか一つの項に記載のクロノグラフ機構。
【請求項５】
前記リセットボタンがクロノグラフ時計の４時の位置にあり、
前記復針伝えレバー構造体が、該リセットボタンの押圧に応じて順次回動される第一、第二及び第三の復針伝えレバーからなって、前記最終段の復針伝えレバーが第三の復針伝えレバーである請求項１から４までのいずれか一つの項に記載のクロノグラフ機構。
【請求項６】
秒ハートカムが時計の中心にあって、分ハートカムが時計の９から１１時の間の位置にある請求項１から５までのいずれか一つの項に記載のクロノグラフ機構。
【請求項７】
分ハートカムが時計の９時の位置にある請求項６に記載のクロノグラフ機構。
【請求項８】
分ハートカムが時計の１１時の位置にある請求項６に記載のクロノグラフ機構。
【請求項９】
分ハートカム及び秒ハートカムと、
リセットボタンの押圧に応じて回動される第一の復針伝えレバーと、
該第一の復針伝えレバーの回動に応じて回動される第二の復針伝えレバーであって扇形第一歯車を備えたものと、
前記扇形第一歯車と噛合し該第一歯車の回動に応じて回動される第二歯車を備えた第三の復針伝えレバーであって、第二歯車の回動に応じて回動される復針レバー作動部を備えたものと、
該第三の復針伝えレバーの復針レバー作動部による力を受ける被作動部を基端側端部に有し分ハートカムのある分クロノグラフ真及び秒ハートカムのある秒クロノグラフ真の間を貫通するように延在した案内腕部、並びに該案内腕部のうち分クロノグラフ真及び秒クロノグラフ真の間に位置する部位よりも前記基端側端部に近接した部位から分ハートカム及び秒ハートカムの夫々に向かって延び先端に分ハートカム及び秒ハートカムに圧接されて該分ハートカム及び秒ハートカムを帰零させる分ハンマー及び秒ハンマーを有する一対の出力側腕部を備えた剛性の復針レバーと、
前記復針レバーの案内腕部の延在方向の前後に配置された二本のガイドピンと
を具備するクロノグラフ機構であって、
前記復針レバーは、前記案内腕部に、前記二本のガイドピンが嵌合される案内用長穴であって、前記分ハンマー及び秒ハンマーが分ハートカム及び秒ハートカムに圧接される位置にある際における前記二本のガイドピンのうちの先端側ガイドピンと案内用長穴との圧接時隙間が、前記分ハンマー及び秒ハンマーが分ハートカム及び秒ハートカムから離れた位置にある際における前記先端側ガイドピンと案内用長穴との圧接前隙間よりも大きいように形成されたものを有し、
前記圧接時隙間は、前記被作動部が押される向きに前記第三の復針伝えレバーの前記復針レバー作動部から受ける力と前記分ハンマー及び秒ハンマーが分ハートカム及び秒ハートカムに圧接される際に該分ハートカム及び秒ハートカムから受ける反力とが釣合うように該三つの力によって該分ハンマー及び秒ハンマーの位置が動作中に調整されるのを可能にすべく構成されたクロノグラフ機構。
【請求項１０】
前記第三の復針伝えレバーの前記復針レバー作動部が長穴からなり、前記復針レバーの前記被作動部が該長穴に係合した被作動ピンからなり、先端側ガイドピンと案内用長穴との間に圧接時隙間が形成される位置に復針レバーが移動された際、復針レバー作動部として働く長穴の壁部が被作動ピンを案内用長穴の延在方向に平行な向きに押すように構成された請求項９に記載のクロノグラフ機構。
【請求項１１】
前記リセットボタンがクロノグラフ時計の４時の位置にあり、秒ハートカムが時計の中心にあって、分ハートカムが時計の８時から９時の間の位置にある請求項９又は１０に記載のクロノグラフ機構。
【請求項１２】
分ハートカムが時計の９時の位置にある請求項１１に記載のクロノグラフ機構。
【請求項１３】
分ハートカムが時計の８時の位置にある請求項１１に記載のクロノグラフ機構。
【請求項１４】
請求項１から１３までのいずれか一つの項に記載のクロノグラフ機構を備えたクロノグラフ時計。
【発明の詳細な説明】
【技術分野】
【０００１】
本発明はクロノグラフ機構及び該機構を備えたクロノグラフ時計に係る。
【背景技術】
【０００２】
時分秒の表示を行うようにしたクロノグラフ時計１０１として、図８から図１０に示した構造を有するものは、知られている（特許文献１）。
【０００３】
クロノグラフ時計１０１は、地板１１０、クロノグラフ地板１１１及びクロノグラフ受１１２を備え、香箱車の回転に伴う二番車及び三番車（いずれも図示せず）の回転に応じて、四番車１２１及び分車１２２が回転される。四番車１２１は四番かなで三番車の三番歯車（いずれも図示せず）に噛合し、四番車１２１と同心の分車１２２は分歯車１２２ａで三番車の三番かな（図示せず）に噛合している。
【０００４】
四番車１２１の四番真１２１ａに取付けられた秒伝え車１２９から秒クロノグラフ中間車１３５（図８）を介して秒クロノグラフ車１３０の秒クロノグラフ歯車１３１に回転が伝えられる。秒クロノグラフ車１３０は、クロノグラフ時計１０１の中心に位置する回転中心軸線ＰＣに沿って秒クロノグラフ真１３２を備え、該秒クロノグラフ真１３２には、クロノグラフ秒針１３３及び秒ハートカム１３４が取付けられる。秒クロノグラフ中間車１３５には中心ＰＣから３時側にズレた位置において秒車１２３が結合され、該秒車１２３の秒真１２３ａには小さい秒表示領域で動く小秒針の形態の秒針１２３ｂ（図１０）が取付けられる。
【０００５】
分車１２２は、複数の一体的な同軸の歯車部（大歯車部）及びかな部（小歯車部）からなる第二日の裏車１２４（図８）を介して、第二分車１２５及び筒車１２６に連結され、第二分車１２５の筒状の真１２５ａには分針１２５ｂが取付けられ、これと同心の筒車１２６の大径筒状真１２６ａには時針１２６ｂが取付けられている。１１４はリュウズである。１１５は文字板１１６の日表示窓１１６ａを介して日付１１５ａが表示される日車である。
【０００６】
第二日の裏車１２４は、そのひとつの歯車部（図示せず）で分クロノグラフ中間車１４１ａに連結され、該分クロノグラフ中間車１４１ａは別の分クロノグラフ中間車１４１ｂを介して分クロノグラフ車１４０に連結されている。分クロノグラフ車１４０の分クロノグラフ真１４２にはクロノグラフ分針１４３（図１０）及び分ハートカム１４４が取付けられている。分クロノグラフ車１４０は、クロノグラフ時計１０１の回転中心ＰＣに対して時計の９時の方向に位置する回転中心軸線ＰＣＭに沿って分クロノグラフ真１４２を備え、該分クロノグラフ真１４２には分ハートカム１４４が取付けられている。分クロノグラフ車１４０は、分クロノグラフ中間車１４１ｂに噛合した分クロノグラフ歯車１４５と分クロノグラフ真１４２との間に分クロノグラフ車クラッチリング（図示せず）を備え、該クラッチリングが時分発停レバー１５３によって規正されると、分クロノグラフ歯車１４５が回転しても分クロノグラフ真１４２は回転しない。
【０００７】
時クロノグラフ車１８０はクロノグラフ時計１０１の回転中心ＰＣに対して時計の６時の方向において中心軸線ＰＣ，ＰＣＭ間の距離と同程度の距離だけ中心軸線ＰＣから離れたところに位置する回転中心軸線ＰＣＨに沿って時クロノグラフ真１８２を備え、該時クロノグラフ真１８２にはクロノグラフ時針１８３及び時ハートカム１８４が取付けられている。時クロノグラフ車１８０は、時クロノグラフ中間車１８６の歯車部１８６ａ，１８６ｂを介して筒車１２６につながっている。時クロノグラフ車１８０は、時クロノグラフ中間車１８６の歯車部１８６ｂに噛合した時クロノグラフ歯車１８５と時クロノグラフ真１８２との間に時クロノグラフ車クラッチリング１８７を備え、該クラッチリング１８７が時分発停レバー１５３によって規正されると、時クロノグラフ歯車１８５が回転しても時クロノグラフ真１８２は回転しない。なお、１８０ａは時クロノグラフ車１８０のクラッチばね、１８０ｂは時クロノグラフ車１８０のクラッチばね止め座、１８０ｃは時クロノグラフ車１８０のクラッチばね受け座、１８０ｄは時クロノグラフ車１８０のクラッチばね止め座ピンである。
【０００８】
クロノグラフ機構１０２は、上記クロノグラフ関連輪列１０３に加えて、クロノグラフ作動機構１０４を有する。クロノグラフ作動機構１０４は、クロノグラフの発停に係る機構（クロノグラフ発停機構）１０５及びリセット（帰零）に係る機構（クロノグラフリセット（帰零）機構）１０６を含む。
【０００９】
クロノグラフ発停機構１０５は、発停（スタート・ストップ）ボタン１５１，第一及び第二作動レバー１５２ａ，１５２ｂ（夫々、作動レバーＡ及び作動レバーＢともいう），時分発停レバー１５３，秒関連の第一及び第二の発停レバー１５４ａ，１５４ｂ（夫々、発停レバーＡ及び発停レバーＢともいう）を含む。第一及び第二作動レバー１５２ａ，１５２ｂに関連して作動レバーばね１５２ｃが設けられ、第二発停レバー１５４ｂに関連して発停レバーばね１５４ｃが設けられる。クロノグラフ作動機構１０４は作動カム１０８及び停止レバー１０９と協働して動作し、ラチェット歯及び駆動歯を備えた作動カム１０８の回転は作動カムジャンパ１０８ａで躍制される。
【００１０】
クロノグラフ機構１０２が停止状態にある際にクロノグラフ発停機構１０５の発停ボタン１５１が押されると、クロノグラフ計時動作（表示動作を含む（以下同））の開始が指示される。発停ボタン１５１の押圧に応じて、第一及び第二作動レバー１５２ａ，１５２ｂが回動して作動カム１０８が一ステップ回転されてクロノグラフ計時動作を許容する。作動カム１０８の一ステップの回転に応じて、第一及び第二発停レバー１５４ａ，１５４ｂが回動されて、秒クロノグラフ中間車１３５の回転を許容し、秒伝え車１２９から秒クロノグラフ中間車１３５を介して秒クロノグラフ車１３０に回転が伝達されて、秒クロノグラフ車１３０の回転によるクロノグラフ秒の計時が行われる。
【００１１】
また、作動カム１０８の一ステップの回転に応じて時分発停レバー１５３が回動されて、分クロノグラフ車１４０の分クロノグラフ真１４２及び時クロノグラフ車１８０の時クロノグラフ真１８２の回転を許容し、クロノグラフ分及びクロノグラフ時の表示を行わせる。
【００１２】
一方、クロノグラフ機構１０２がクロノグラフ計時動作中にクロノグラフ発停機構１０５の発停ボタン（スタート・ストップボタン）１５１が押されると、クロノグラフ計時動作の停止が指示される。すなわち、発停ボタン１５１の押圧に応じて、第一及び第二作動レバー１５２ａ，１５２ｂが回動して作動カム１０８が更に一ステップだけ回転されてクロノグラフ計時動作を停止させる。すなわち、作動カム１０８の一ステップの回転に応じて、一方では、第一及び第二発停レバー１５４ａ，１５４ｂが回動されて秒クロノグラフ中間車１３５の回転が不能にされ、他方では、時分発停レバー１５３が回動されて、分クロノグラフ車１４０の分クロノグラフ真１４２及び時クロノグラフ車１８０の時クロノグラフ真１８２の回転が不能にされる。また、作動カム１０８の前記一ステップの回転に応じて、作動カム１０８が停止レバー１０９を作動させて、秒クロノグラフ真１３２の回転を規正する。
【００１３】
クロノグラフリセット機構１０６は、リセット（帰零）ボタン１６１と、該リセットボタン１６１のＰＰ１方向の押圧に応じてＰＥ１方向に回動される第一復針伝えレバー（「復針伝えレバーＡ」ともいう）１６２と、該第一復針伝えレバー１６２のＰＥ１方向回動によりＰＧ１方向に回動される第二復針伝えレバー（「復針伝えレバーＢ」ともいう）１６３と、該第二復針伝えレバー１６３のＰＧ１方向回動により概ねＰＫ１方向に変位される復針レバー１６４とを有する。１７１はクリックばねである。
【００１４】
なお、第一復針伝えレバー１６２はＰＥ１方向回動の際に停止レバー１０９に係合して該停止レバー１０９による秒クロノグラフ車１３０の回動規正を解除する。回動軸Ｃ１６３のまわりでＰＧ１，ＰＧ２方向に回動可能な第二復針伝えレバー１６３は、先端側腕部１６３ｂの先端部にＵ字状の復針レバー作動部１６３ｃを備え、Ｕの凹部１６３ｄでピンに係合される。
【００１５】
復針レバー１６４は、全体として鳥が飛んでいるような形状で、頭部側腕部１６４ａ，胴尾部側腕部１６４ｂ，両羽根側腕部１６４ｃ，１６４ｄを有する。復針レバー１６４の頭部側腕部１６４ａには、案内溝部１６５ａが形成され、復針レバーの胴尾部腕部１６４ｂには案内溝部１６５ａと協働して復針レバー案内部を構成する案内穴部１６５ｂが形成されている。この案内溝部１６５ａ及び案内穴部１６５ｂは、クロノグラフ地板１１１に突設された第一及び第二の復針レバー案ガイドピン１６６ａ，１６６ｂに嵌合している。第一及び第二の復針レバー案ガイドピン１６６ａ，１６６ｂの外周と案内溝部１６５ａ及び案内穴部１６５ｂの内面との間には僅かながら隙間がある。復針レバー１６４は、概ね、案内溝部１６５ａ及び案内穴部１６５ｂの延在方向に沿って、ＰＫ１，ＰＫ２方向に移動可能である。案内溝部１６５ａ及び案内穴部１６５ｂの夫々の一端には、該溝部１６５ａ及び穴部１６５ｂの他の部分よりも若干大径の溝部分及び穴部分が形成されている。従って、第一及び第二の復針レバー案ガイドピン１６６ａ，１６６ｂが、該大径溝部分及び大径穴部分内に位置する場合には、復針レバー１６４の向きも多少変動可能である。
【００１６】
復針レバー１６４の右羽根側腕部１６４ｃには、被作動ピンないし復針レバー作動ピン１６５ｃが突設され、該復針レバー作動ピン１６５ｃは、第二復針伝えレバー１６３の復針レバー作動部１６３ｃのＵ字状凹部１６３ｄに嵌合され、第二復針伝えレバー１６３のＰＧ１方向回動に応じて、力ＰＦ（図示せず）を受けて、ＰＫ１方向に変位される。復針レバー１６４は、また、胴尾側腕部１６４ｂの先端部に秒ハンマー部ないし秒ハートカム接触部１６７ａを備えると共に、右羽根側腕部１６４ｃの先端部に分ハンマー部ないし分ハートカム接触部１６７ｂを備え、更に、左羽根側腕部１６４ｄの先端部に時ハンマー部ないし時ハートカム接触部１６７ｃを備える。
【００１７】
リセットピン１６１のＰＰ１方向の押圧に応じて、第二復針伝えレバー１６３がＰＧ１方向に回動されると、復針レバー作動ピン１６５ｃで復針レバー作動部１６３ｃによる力ＰＦ（図示せず）を受け、案内溝１６５ａ及び案内穴１６５ｂでガイドピン１６６ａ及び１６６ｂに案内されてＰＫ１方向に変位された復針レバー１６４は、秒ハートカム接触部１６７ａで秒ハートカム１３４に当接ないし圧接すると共に分ハートカム接触部１６７ｂで分ハートカム１４４に当接ないし圧接し、時ハートカム接触部１６７ｃで時ハートカム１８４に当接ないし圧接する。この当接状態ないし圧接状態が達成される際には、ガイドピン１６６ａ及び１６６ｂが、丁度、案内溝１６５ａ及び案内穴１６５ｂの大径の溝部分及び大径の穴部分内に位置するので、復針レバー１６４の接触部１６７ａ，１６７ｂ，１６７ｃが対応するハートカム１３４，１４４，１８４の最小径部に丁度当接ないし圧接する状態が実現される。このとき、第二復針伝えレバー１６３の復針レバー作動部１６３ｃが復針レバー作動ピン１６５ｃを介して復針レバー１６３を押す力ＰＦ（図示せず）は、丁度、秒ハートカム１３４が秒ハートカム接触部１６７ａで復針レバー１６４を押す力ＰＦ１（図示せず）と、分ハートカム１４４が分ハートカム接触部１６７ｂで復針レバー１６４を押す力ＰＦ２（図示せず）と、時ハートカム１８４が時ハートカム接触部１６７ｃで復針レバー１６４を押す力ＰＦ３（図示せず）との合力と丁度釣り合い、且つ四つの力Ｆ，Ｆ１，Ｆ２，Ｆ３（いずれも図示せず）が復針レバー１６４に与えるトルクは、実際上釣り合うか、多少のアンバランスがあっても、案内溝１６５ａ及び案内穴１６５の大径の溝部分及び大径の穴部分の周壁がガイドピン１６６ａ及び１６６ｂを支える力に起因するトルクで相殺され、復針レバー１６４はが静止状態に保たれ得る。この状態では、復針レバー１６４は、秒ハートカム接触部１６７ａ、分ハートカム接触部１６７ｂ及び時ハートカム接触部１６７ｃで、秒ハートカム１３４、分ハートカム１４４及び時ハートカム１８４を介して、秒クロノグラフ車１３０、分クロノグラフ車１４０及び時クロノグラフ車１８０を帰零させる。すなわち、特許文献１のクロノグラフ時計１では、以上のようにして、復針レバー１６４自体の位置が自動的に位置調整（セルフアラインメント）され得るので、三つのハートカム１３４，１４４，１８４を確実に且つ同時に位置調整し得る。
しかしながら、この特許文献１で提案のクロノグラフ時計は、三つ（時，分，秒）のクロノグラフ指針を同時に帰零させるものであって、クロノグラフ指針が二つ（分，秒）である場合には、適用できない。すなわち、この特許文献１で提案されているクロノグラフ時計の具体的な構造をそのままして、例えば、時クロノグラフ真や時クロノグラフ指針を取り除くと、自己位置調整機能（セルフアラインメント機能）が働かなくなる。
【先行技術文献】
【特許文献】
【００１８】
【特許文献１】特開２００４−２９４２７７号公報
【発明の概要】
【発明が解決しようとする課題】
【００１９】
本発明は前記した点に鑑みなされたものであって、その目的とするところは、クロノグラフ指針が分秒二つだけからなる場合において、確実に自己位置調整機能（セルフアラインメント機能）を有し得るクロノグラフ機構及び該機構を備えたクロノグラフ時計を提供することにある。
【課題を解決するための手段】
【００２０】
本発明のクロノグラフ機構は、前記目的を達成すべく、分ハートカム及び秒ハートカムと、リセットボタンの押圧に応じて順次回動される複数の復針伝えレバーからなる復針伝えレバー構造体であって該複数の復針伝えレバーのうち最終段の復針伝えレバーが復針レバー作動部を備えるものと、該復針レバー作動部による力を受ける被作動部を基端側端部に有し分ハートカムのある分クロノグラフ真及び秒ハートカムのある秒クロノグラフ真の間を貫通するように延在した案内腕部、並びに該案内腕部の先端側端部から分ハートカム及び秒ハートカムの夫々に向かって延び先端に分ハートカム及び秒ハートカムに圧接されて該分ハートカム及び秒ハートカムを帰零させる分ハンマー及び秒ハンマーを有する一対の出力側腕部を備えた剛性の復針レバーと、前記復針レバーの案内腕部の延在方向の前後に配置された二本のガイドピンとを具備するクロノグラフ機構であって、前記復針レバーは、前記案内腕部に、前記二本のガイドピンが嵌合される案内用長穴であって、前記分ハンマー及び秒ハンマーが分ハートカム及び秒ハートカムに圧接される位置にある際における前記二本のガイドピンの夫々と案内用長穴との圧接時隙間が、前記分ハンマー及び秒ハンマーが分ハートカム及び秒ハートカムから離れた位置にある際における前記先端側ガイドピンと案内用長穴との圧接前隙間よりも大きいように形成されたものを有し、前記圧接時隙間は、復針レバーの前記被作動部が引かれる向きに前記最終段の復針伝えレバーの前記復針レバー作動部によって受ける力と前記分ハンマー及び秒ハンマーが分ハートカム及び秒ハートカムに圧接される際に該分ハートカム及び秒ハートカムから受ける反力とが釣合うように該三つの力によって該分ハンマー及び秒ハンマーの位置が動作中に調整されるのを可能にすべく構成される。
【００２１】
本発明のクロノグラフ機構では、「復針レバーは、その案内腕部に、前記二本のガイドピンが嵌合される案内用長穴であって、分ハンマー及び秒ハンマーが分ハートカム及び秒ハートカムに圧接される位置にある際における二本のガイドピンの夫々と案内用長穴との圧接時隙間が、分ハンマー及び秒ハンマーが分ハートカム及び秒ハートカムから離れた位置にある際における先端側ガイドピンと案内用長穴との圧接前隙間よりも大きいように形成されたものを有する」ので、該圧接時隙間の存在の故に復針レバーが多少揺動可能であるから、「復針レバーの被作動部が引かれる向きに復針伝えレバー構造体の最終段の復針伝えレバーの復針レバー作動部によって復針レバーの被作動部が受ける力と分ハンマー及び秒ハンマーが分ハートカム及び秒ハートカムに圧接される際に該分ハートカム及び秒ハートカムから受ける反力とが釣合うように該三つの力によって該分ハンマー及び秒ハンマーの位置が動作中に調整され」得る。従って、従来のクロノグラフ時計において、不可欠であった個体毎のハンマー位置の調整なくして、分ハートカム及び秒ハートカムの帰零ないし分クロノグラフ指針及び秒クロノグラフ指針の帰零を確実に且つ同時に行ない得る。
【００２２】
すなわち、本発明のクロノグラフ機構では、「復針レバーの前記被作動部が引かれる向きに前記最終段の復針伝えレバーの前記復針レバー作動部によって力を受ける」ので、分ハンマー及び秒ハンマーが分ハートカム及び秒ハートカムから受ける力のバランスがとれるように前記圧接時隙間のある領域がガイドピンに対して揺動されて、分ハートカム及び秒ハートカムを確実に同時に帰零させ得る。
【００２３】
また、本発明のクロノグラフ機構では、復針レバーの被作動部に引張力がかかるけれども座屈方向ないし圧縮方向の力を受けないので、寿命が長くなり易く、クロノグラフ機構の耐久性ないし長期間の信頼性が高められ得る。
【００２４】
本発明のクロノグラフ機構では、典型的には、前記最終段の復針伝えレバーの前記復針レバー作動部が長穴からなり、前記復針レバーの前記被作動部が該長穴に係合したピンからなり、前記二つのガイドピンと案内用長穴との間に圧接時隙間が形成される位置に復針レバーが移動された際、復針レバー作動部として働く長穴の壁部が被作動部として働くピンを案内用長穴の延在方向に平行な向きに引くように構成される。
【００２５】
この場合、「二つのガイドピンと案内用長穴との間に圧接時隙間が形成される位置に復針レバーが移動された際、復針レバー作動部として働く長穴の壁部が被作動部として働くピンを案内用長穴の延在方向に平行な向きに引くように構成されている」ので、二つのガイドピンの夫々が圧接時隙間内に位置する際に、復針レバーの被作動部をなすピンと最終段の復針伝えレバーの作動部として働く長穴の壁部との接触部を中心にして、復針レバーが揺動（実際上回動）され得るから、復針レバーの自動的な位置調整（分ハートカム及び秒ハートカムを同時帰零させる状態）が確実に実現され得る。
【００２６】
本発明のクロノグラフ機構では、典型的には、前記二本のガイドピンは、分ハートカム及び秒ハートカムの回転中心を結ぶ仮想線を垂直二等分する案内線に沿って配置され、分ハンマー及び秒ハンマーが分ハートカム及び秒ハートカムから離れた位置にある際、分ハンマー及び秒ハンマーの分ハートカム及び秒ハートカムに対する圧接面が前記案内線に関して鏡映対称になっている。
【００２７】
この場合、分ハートカム及び秒ハートカムから復針レバーが受ける力のバランスがとり易いので、復針レバーの自動的な位置調整（分ハートカム及び秒ハートカムを同時帰零させる状態）が確実に実現され得る。
【００２８】
本発明のクロノグラフ機構では、典型的には、前記案内用長穴は、前記二本のガイドピンの夫々が別々に嵌合される相互に分離された穴部分からなる。
【００２９】
この場合、典型的には板状の復針レバーが非平面状にねじれる虞れが最低限に抑えられ得るから、復針レバーがその案内用長穴で確実に案内され得る。
【００３０】
本発明のクロノグラフ機構では、典型的には、前記リセットボタンがクロノグラフ時計の４時の位置にあり、前記復針伝えレバー構造体が、該リセットボタンの押圧に応じて順次回動される第一、第二及び第三の復針伝えレバーからなって、前記最終段の復針伝えレバーが第三の復針伝えレバーである。
【００３１】
この場合、関連する部品点数を最低限に抑え得る。また、従来の通常のクロノグラフ時計にそのまま組込むことも可能である。
【００３２】
本発明のクロノグラフ機構では、典型的には、秒ハートカムが時計の中心にあって、分ハートカムが時計の９から１１時の間の位置にある。
【００３３】
本発明のクロノグラフ機構では、典型的には、分ハートカムが時計の９時の位置にある。
【００３４】
この場合、従来の三つ（時，分，秒）のクロノグラフ指針を備えるクロノグラフ時計のクロノグラフ機構において、第二及び第三の復針伝えレバー（夫々、いわゆる「復針伝えレバーＢ」及び「復針伝えレバーＣ」に対応する）並びに復針レバーを取替え又は追加するだけ（場合によっては、作動カムジャンパも取替える）で、二つ（分，秒）のクロノグラフ指針を備えるクロノグラフ時計を形成し得る。
【００３５】
本発明のクロノグラフ機構では、分ハートカムが時計の１１時の位置にあってもよい。
【００３６】
その場合、時計の外観を相当程度変えた製品になり得る。
【００３７】
さらに、本発明のクロノグラフ機構は、前記目的を達成すべく、分ハートカム及び秒ハートカムと、リセットボタンの押圧に応じて回動される第一の復針伝えレバーと、該第一の復針伝えレバーの回動に応じて回動される第二の復針伝えレバーであって扇形第一歯車を備えたものと、前記扇形第一歯車と噛合し該第一歯車の回動に応じて回動される第二歯車を備えた第三の復針伝えレバーであって、第二歯車の回動に応じて回動される復針レバー作動部を備えたものと、該第三の復針伝えレバーの復針レバー作動部による力を受ける被作動部を基端側端部に有し分ハートカムのある分クロノグラフ真及び秒ハートカムのある秒クロノグラフ真の間を貫通するように延在した案内腕部、並びに該案内腕部のうち分クロノグラフ真及び秒クロノグラフ真の間に位置する部位よりも前記基端側端部に近接した部位から分ハートカム及び秒ハートカムの夫々に向かって延び先端に分ハートカム及び秒ハートカムに圧接されて該分ハートカム及び秒ハートカムを帰零させる分ハンマー及び秒ハンマーを有する一対の出力側腕部を備えた剛性の復針レバーと、前記復針レバーの案内腕部の延在方向の前後に配置された二本のガイドピンとを具備するクロノグラフ機構であって、前記復針レバーは、前記案内腕部に、前記二本のガイドピンが嵌合される案内用長穴であって、前記分ハンマー及び秒ハンマーが分ハートカム及び秒ハートカムに圧接される位置にある際における前記二本のガイドピンのうちの先端側ガイドピンと案内用長穴との圧接時隙間が、前記分ハンマー及び秒ハンマーが分ハートカム及び秒ハートカムから離れた位置にある際における前記先端側ガイドピンと案内用長穴との圧接前隙間よりも大きいように形成されたものを有し、前記圧接時隙間は、前記被作動部が押される向きに前記第三の復針伝えレバーの前記復針レバー作動部から受ける力と前記分ハンマー及び秒ハンマーが分ハートカム及び秒ハートカムに圧接される際に該分ハートカム及び秒ハートカムから受ける反力とが釣合うように該三つの力によって該分ハンマー及び秒ハンマーの位置が動作中に調整されるのを可能にすべく構成される。
【００３８】
本発明のクロノグラフ機構では、「復針レバーは、その案内腕部に、前記二本のガイドピンが嵌合される案内用長穴であって、分ハンマー及び秒ハンマーが分ハートカム及び秒ハートカムに圧接される位置にある際における二本のガイドピンのうちの先端側ガイドピンと案内用長穴との圧接時隙間が、分ハンマー及び秒ハンマーが分ハートカム及び秒ハートカムから離れた位置にある際における先端側ガイドピンと案内用長穴との圧接前隙間よりも大きいように形成されたものを有する」ので、該圧接時隙間の存在の故に復針レバーが多少揺動可能であるから、「復針レバーの被作動部が押される向きに第三の復針伝えレバーの復針レバー作動部によって復針レバーの被作動部が受ける力と分ハンマー及び秒ハンマーが分ハートカム及び秒ハートカムに圧接される際に該分ハートカム及び秒ハートカムから受ける反力とが釣合うように該三つの力によって該分ハンマー及び秒ハンマーの位置が動作中に調整され」得る。従って、従来のクロノグラフ時計において、不可欠であった個体毎のハンマー位置の調整なくして、分ハートカム及び秒ハートカムの帰零ないし分クロノグラフ指針及び秒クロノグラフ指針の帰零を確実に且つ同時に行ない得る。
【００３９】
すなわち、本発明のクロノグラフ機構では、「復針レバーの前記被作動部が押される向きに第三の復針伝えレバーの復針レバー作動部によって力を受ける」ので、分ハンマー及び秒ハンマーが分ハートカム及び秒ハートカムから受ける力のバランスがとれるように前記圧接時隙間のある領域がガイドピンに対して揺動されて、分ハートカム及び秒ハートカムを確実に同時に帰零させ得る。
【００４０】
また、本発明のクロノグラフ機構では、例えば特許文献１や図５に記載のような従来のクロノグラフ機構とは異なり、第二の復針伝えレバーと復針レバーとの間に第三の復針伝えレバーを設けると共に第二の復針伝えレバーと第三の復針伝えレバーとの係合を歯車の噛合によって行わせるようにしたので、帰零力が確実に且つ安定して伝達され得るだけでなく、狭いスペースで力の向きを大きく変更し得る。
【００４１】
本発明のクロノグラフ機構では、典型的には、前記第三の復針伝えレバーの前記復針レバー作動部が長穴からなり、前記復針レバーの前記被作動部が該長穴に係合した被作動ピンからなり、先端側ガイドピンと案内用長穴との間に圧接時隙間が形成される位置に復針レバーが移動された際、復針レバー作動部として働く長穴の壁部が被作動ピンを案内用長穴の延在方向に平行な向きに押すように構成される。
【００４２】
この場合、復針レバー作動部として働く長穴が被作動部として働き該長穴に係合した被作動ピンに対してもう一つの圧接時隙間（復針レバーの案内方向に直交する方向の隙間）を与えるから、復針レバーが、二つのガイドピンのうち基端側のガイドピンのところでは復針レバーの案内方向に直交する方向の隙間が実際上なくても、復針レバーが該基端側ガイドピンのまわりで揺動されて、自動的な位置調整が行われ得る。また、このクロノグラフ時計では、「先端側ガイドピンと案内用長穴との間に圧接時隙間が形成される位置に復針レバーが移動された際、復針レバー作動部として働く長穴の壁部が被作動ピンを案内用長穴の延在方向に平行な向きに押すように構成されている」ので、二つの圧接時隙間に依存する復針レバーの自動的な位置調整（分ハートカム及び秒ハートカムを同時帰零させる状態）が確実に実現され得る。
【００４３】
本発明のクロノグラフ時計において、前記分ハンマー及び秒ハンマーが分ハートカム及び秒ハートカムに圧接される位置にある際における前記二本のガイドピンのうちの基端側ガイドピンと案内用長穴との圧接時隙間が、前記分ハンマー及び秒ハンマーが分ハートカム及び秒ハートカムから離れた位置にある際における前記基端側ガイドピンと案内用長穴との圧接前隙間よりも大きいように形成されていてもよい。
【００４４】
その場合にも、二つの圧接時隙間（先端側ガイドピンのところの圧接時隙間及び被作動ピンと作動用長穴との隙間）が確保される限り、復針レバーの自動位置調整が確実に行われ得る。
【００４５】
また、本発明のクロノグラフ時計において、前記案内用長穴は、前記二本のガイドピンの夫々が別々に嵌合される相互に分離された穴部分からなっていてもよい。
【００４６】
その場合、復針レバーがその案内用長穴で確実に案内され得る。
【００４７】
本発明のクロノグラフ機構では、典型的には、前記リセットボタンがクロノグラフ時計の４時の位置にあり、秒ハートカムが時計の中心にあって、分ハートカムが時計の８時から９時の間の位置にある。
【００４８】
この場合、第二及び第三の復針伝えレバーが歯車で結合されているので狭いスペースに大きく転向するような配置が可能であることと相俟って、従来の通常のクロノグラフ時計にそのまま組込むことも可能である。
【００４９】
本発明のクロノグラフ機構では、典型的には、分ハートカムが時計の９時の位置にある。
【００５０】
この場合、従来の三つ（時，分，秒）のクロノグラフ指針を備えるクロノグラフ時計のクロノグラフ機構において、第二及び第三の復針伝えレバー（夫々、いわゆる「復針伝えレバーＢ」及び「復針伝えレバーＣ」に対応する）並びに復針レバーを取替え又は追加するだけで、二つ（分，秒）のクロノグラフ指針を備えるクロノグラフ時計を形成し得る。すなわち、本発明のクロノグラフ機構では、該クロノグラフ機構を実現するために要する部品点数（部品の変更）を最低限に抑えることが可能になる。
【００５１】
但し、分ハートカムが時計の８時の位置にあってもよい。
【００５２】
その場合、時計の外観をある程度変えた製品になり得る。
【００５３】
本発明のクロノグラフ時計は、上述のようなクロノグラフ機構を備える。
【図面の簡単な説明】
【００５４】
【図１】本発明の実施の形態１にかかわるクロノグラフ機構を備えたクロノグラフ時計の平面説明図。
【図２】クロノグラフ時計の概観の説明図。
【図３】図１のクロノグラフ時計のクロノグラフ機構のうち第三の復針伝えレバー及び復針レバーと分ハートカム及び秒ハートカムとの関係を拡大して示した平面説明図。
【図４】本発明の実施の形態１にかかわる変形例のクロノグラフ機構を備えたクロノグラフ時計についての平面説明図。
【図５】本発明の実施の形態２にかかわるクロノグラフ機構を備えたクロノグラフ時計の平面説明図。
【図６】図５のクロノグラフ時計のクロノグラフ機構のうち第三の復針伝えレバー及び復針レバーと分ハートカム及び秒ハートカムとの関係を拡大して示した平面説明図。
【図７】本発明の実施の形態２にかかわる変形例のクロノグラフ機構を備えたクロノグラフ時計についての平面説明図。
【図８】従来のクロノグラフ時計についての平面説明図。
【図９】従来のクロノグラフ時計についての断面説明図。
【図１０】従来のクロノグラフ時計についての概観説明図。
【発明を実施するための形態】
【００５５】
本発明の好ましい実施の形態について、図１〜４を参照して詳細に説明する。
（実施の形態１）
【００５６】
本発明の実施の形態１のクロノグラフ時計１は、図２の外観図に示したように、中心軸線Ｃのまわりで回転するクロノグラフ秒針３１を有すると共に９時の位置において中心ＣＭのまわりで回転するクロノグラフ分針４１を有する。クロノグラフ時計１は、また、通常の時刻表示を行う小秒針８１と分針８２と時針８３とを有すると共に日表示８４を有する。この例では、小秒針８１は、３時の位置にある。なお、１１はスタート・ストップ（発停）ボタン、２１はリセット（帰零）ボタン、８５はリュウズである。
【００５７】
クロノグラフ時計１のクロノグラフ機構２は、図２に加えて図１にその一部を平面図で示したように、スタート・ストップ（発停）動作に係るクロノグラフスタート・ストップ（発停）機構３とリセット（帰零）動作に係るクロノグラフリセット（帰零）機構ないしクロノグラフ帰零構造４とを有する。
【００５８】
ほぼ４時半の位置に回転中心Ｃ８がある作動カム８は、外周に偶数個のラチェット歯８ａを備えると共に一側面８ｂにその半数の三角形の駆動歯８ｃを備える。なお、作動カム８の回転位置は、ラチェット歯８ａに対して躍制動作を行う作動カムジャンパ８ｊによって位置決めされる。
【００５９】
クロノグラフ時計１のクロノグラフ計時が停止されている際に、クロノグラフ機構２のスタート・ストップボタン１１がＡ１方向に押圧されると、第一作動レバー（通常は、作動レバーＡと称する）１２が想像線１２ｉで示したように回動中心Ｃ１２のまわりでＢ１方向に回動され、それに応じて第二作動レバー（通常は、作動レバーＢと称する）１３が想像線１３ｉで示したように揺動され、先端の作動爪部１４で作動カム８のラチェット歯８ａに係合して作動カム８をラチェット歯８ａの一歯分だけ回転中心Ｃ８のまわりでＤ１方向に回転させる。作動カム８の回転に応じて、該作動カム８の駆動歯８ｃによってクロノグラフ発停機構３の発停レバーその他の関連部材（図示せず）が作動され、クロノグラフ計時が開始又は再開され、クロノグラフ時計１のクロノグラフ秒針３１及びクロノグラフ分針４１の運針が行われる。
【００６０】
一方、クロノグラフ計時が行われてクロノグラフ秒針３１及びクロノグラフ分針４１の運針が行われている際に、スタート・ストップボタン１１が再度Ａ１方向に押圧されると、第一作動レバー１２が想像線１２ｉで示したように回動中心Ｃ１２のまわりでＢ１方向に回動され、第二作動レバー１３が想像線１３ｉで示したように揺動され、先端の作動爪部１４で作動カム８のラチェット歯８ａに係合して作動カム８をラチェット歯８ａの一歯分だけ更にＤ１方向に回転させる。作動カム８の回転に応じて、該作動カム８の駆動歯８ｃによりクロノグラフ発停機構３の発停レバーその他の関連部材（図示せず）が作動され、クロノグラフ計時が停止され、クロノグラフ時計１のクロノグラフ秒針３１及びクロノグラフ分針４１の運針が停止される。
【００６１】
以上のようなクロノグラフ発停機構３による発停動作自体は、例えば、特許文献１に記載され、且つ部分的にはこの明細書で図５として示したとおりであり、一般的には周知であるので、ここでは、関連機構の図示及び説明は省略する。
【００６２】
次に、クロノグラフ機構２のうちクロノグラフリセット（帰零）機構４について、しかも該クロノグラフリセット機構４のうち帰零指示に係る強制帰零機構５に限って、説明する。
【００６３】
クロノグラフ帰零機構４は、第一の復針伝えレバー２２と第二の復針伝えレバー２３と第三の復針伝えレバー２４と復針レバー５０とを有する。ここで、復針伝えレバー機構６は、第一の復針伝えレバー２２と第二の復針伝えレバー２３と第三の復針伝えレバー２４とからなる。
【００６４】
第一の復針伝えレバー２２（通常は、復針伝えレバーＡと称する）は、ほぼ５時の位置にある中心軸線Ｃ２２のまわりでＥ１，Ｅ２方向に回動可能で、リセットボタン２１に対面する位置に基端側腕部２２ａを備える。第一の復針伝えレバー２２は、リセットボタン２１がＰ１方向に押圧されると、図１において実線で示した位置から想像線２２ｉで示した位置にＥ１方向に回動される。
【００６５】
第二の復針伝えレバー２３（部分的には、通常、復針伝えレバーＢと称されるものと同様な構造を有する）は、ほぼ６時半の位置にある中心軸線Ｃ２３のまわりでＧ１，Ｇ２方向に回動可能で、腕部２３ａの長穴２３ｂで第一の復針伝えレバー２２の腕部２２ｂのピン２２ｃに係合している。ここで、ピン２２ｃは、ほぼ６時の位置にある。第二の復針伝えレバー２３は、リセットボタン２１のＰ１方向押圧に応じて第一復針伝えレバー２２が実線位置からＥ１方向に回動されると、図１において実線で示した位置から想像線２３ｉで示した位置にＧ１方向に回動される。
【００６６】
第三の復針伝えレバー２４は、ほぼ７時半の位置にある中心軸線Ｃ２４のまわりでＨ１，Ｈ２方向に回動可能で、腕部２４ａのピン２４ｂで第二の復針伝えレバー２３の腕部２３ｃの溝部２３ｄに係合している。第三の復針伝えレバー２４は、リセットボタン２１のＰ１方向押圧に応じた第一復針伝えレバー２２のＥ１方向回動に伴って第二の復針伝えレバー２３が実線位置からＧ１方向に回動されると、図１において実線で示した位置から想像線２４ｉで示した位置にＨ１方向に回動される。
【００６７】
なお、図１からわかるとおり、クロノグラフ秒針３１が取付けられた秒クロノグラフ真３２には秒ハートカム３３が取付けられ、クロノグラフ分針４１が取付けられた分クロノグラフ真４２には分ハートカム４３が取付けられている。
【００６８】
クロノグラフ地板７には、秒クロノグラフ真３２の中心Ｃと分クロノグラフ真４２の中心ＣＭとを結ぶ仮想線Ｊの垂直二等分線をなす案内線Ｋａの延在方向Ｋに沿って一列に並ぶように一対のガイドピン５１，５２が突設されている。ガイドピン５１，５２は同一径の円柱状である。但し、所望ならば、径が異なっていてもよい。
【００６９】
復針レバー５０は、全体としてＴ字状の形状を有し、Ｔの脚部をなす入力側腕部５３と、Ｔの頂部をなし該腕部５３の頂端において両側に延びた一対の出力側腕部５４，５５とを有する。この例では、出力側腕部５４，５５は仮想線Ｊの垂直二等分線Ｋａについて鏡映対称な形状を有する。復針レバー５０は、入力側腕部５３の基端５３ａにある被作動部としてのピン（被作動ピン）５３ｂで第三の復針伝えレバー２４の先端側腕部２４ｃの長穴２４ｄに係合し、入力側腕部５３の長手方向中央にある長穴５６でガイドピン５１に係合すると共に該入力側腕部５３の先端部にある長穴５７でガイドピン５２に係合している。ここで、長穴２４ｄ又はその壁部が、復針レバー作動部として働く。
【００７０】
従って、復針レバー５０は、大まかには、入力側腕部５３の延在方向Ｋに一致する長穴５６，５７の延在方向Ｋに沿って、Ｋ１，Ｋ２方向に移動可能であり、リセットボタン２１のＰ１方向押圧に伴って第三の復針伝えレバー２４がＨ１方向に回動されると、ガイドピン５１，５２に案内されてＫ１方向に移動可能である。
【００７１】
より詳しくは、長穴５６，５７は、夫々、幅一定の本体部５６ａ，５７ａに加えて、そのＫ２方向端部５６ｂ，５７ｂに大径の穴部５６ｃ，５７ｃを備える。穴部５６ｃ，５７ｃの径Ｌ１，Ｌ２は、本体部５６ａ，５７ａの幅Ｗ１，Ｗ２よりも多少大きい。従って、復針レバー５０がＫ１方向に移動されてガイドピン５１，５２が穴部５６ｃ，５７ｃに入ると、ガイドピン５１，５２の外周と穴部５６ｃ，５７ｃの周壁との間に多少の隙間ができる。その結果、ガイドピン５１，５２は、穴部５６ｃ，５７ｃ内で、その周壁に当たるまでいずれの方向にも相対変位可能になる。すなわち、入力側腕部５３が、クロノグラフ地板７に対して、Ｋ方向のみならず、該Ｋ方向に対して交差する方向にも相対変位可能になる。すなわち、入力側腕部５３が、クロノグラフ地板７に対して採る向きが変更可能になる。
【００７２】
第三の復針伝えレバー２４のＨ１方向回動に伴う復針レバー５０のＫ１方向移動は、復針レバー５０の案内腕部５３の先端側端部から秒ハートカム３３及び分ハートカム４３の方へ延びた一対の出力側腕部５４，５５が、秒ハンマー及び分ハンマーとして働く先端部５８，５９で対応するハートカム３３，４３を叩き（即ち、ハートカム３３，４３に圧接され）、該ハンマー５８，５９の先端面５８ａ，５９ａがハートカム３３，４３の基準面３３ａ，４３ａに当接すると、停止される。
【００７３】
ここで、復針レバー５０の出力側腕部５４及び５５の秒ハンマー５８及び分ハンマー５９が、秒ハートカム３３及び分ハートカム４３を叩くように復針レバー５０がＫ１方向に移動されると、図１において、想像線５０ｉで示したように、ガイドピン５１，５２が対応する長穴５６，５７の大径穴部５６ｃ，５７ｃ内に入るので、復針レバー５０は、クロノグラフ地板７に対して、単にＫ１方向に移動されるだけではなく、例えば、Ｒ１方向及びＲ２方向に揺動可能になる。すなわち、ガイドピン５１，５２が案内用長穴５６，５７の大径穴部５６ｃ，５７ｃに入り両者の間に圧接時隙間ｇ１，ｇ２ができた状態では、被作動ピン５３ｂが復針レバー作動部としての長穴２４ｄの壁部２４ｅによって実際上Ｋ１方向に引張られる。その結果、ハンマー５８，５９とハートカム３３，４３との当接状況の差異に応じて、復針レバー５０が壁部２４ｅのまわりで実際上Ｒ１，Ｒ２方向に揺動され得る。なお、以上において、圧接時隙間ｇ１，ｇ２は、ガイドピン５１，５２が案内用長穴５６，５７の本体部５６ａ，５７ａ内に有るときの両者の隙間（即ち、圧接前隙間ｇ０，ｇ０（図１）であって図では見えない程度に小さい）よりも大きい。なお、揺動Ｒ１，Ｒ２の回動中心からの距離からして、圧接時隙間ｇ２は圧接時隙間ｇ１よりも多少大きい方が好ましい。但し、双方共に小さいので、両者は同程度でもよい。
【００７４】
従って、復針レバー５０のハンマー５８，５９がその圧接面５８ａ，５９ａで対応するハートカム３３，４３の基準面３３ａ，４３ａに圧接される状態になり且つ第三の復針伝えレバー２４の腕部２４ｃの作動用長穴部２４ｄが被作動部としての被作動ピン５３ｂ（復針レバー５０の入力側腕部５３の入力側端部５３ａにある被作動ピン５３ｂ）に対して概ねＫ１方向に及ぼすリセット力Ｆが、秒ハートカム３３が基準面３３ａにおいて復針レバー５０の一方の出力側腕部５４の秒ハンマー５８の先端面５８ａに及ぼす反力Ｆ１及び分ハートカム４３が基準面４３ａにおいて復針レバー５０の他方の出力側腕部５５の分ハンマー５９の先端面５９ａに及ぼす反力Ｆ２の合力と丁度釣合うようになるまで、Ｋ１方向に移動中の復針レバー５０の姿勢がＲ１，Ｒ２方向に変動し、該圧接が完了し該力の釣合い実現されるところで復針レバー５０が停止する。すなわち、セルフアラインメント動作が行われることになる。この帰零に際して、復針レバー５０にかかる力は、実際上引張り力であり座屈応力がかからないので、復針レバー５０が長期間安定に動作され易い。
【００７５】
ここで、ガイドピン５１，５２が仮想線Ｊに対して直交する線Ｋａに沿って延び、且つ出力側腕部５４，５５が線Ｋａに関して鏡映対称な形状を有するので上記の帰零が容易且つ確実に行われ易く、ハートカム３３，４３の両方が丁度初期位置を採るように回転され、基準面３３ａ，４３ａがそれに応じた回転位置を採るところで復針レバー５０の出力側腕部５４，５５のハンマー５８，５９の圧接面５８ａ，５９ａが圧接されて、セルフアラインメントが達成される。
【００７６】
以上の如く構成されたクロノグラフ帰零機構４の強制帰零機構５では、図１と図５とを対比すればわかるように、時分秒の三つのクロノグラフ指針を備えこれら三つのクロノグラフ指針を強制帰零させる場合と比較して、時クロノグラフ表示及び時分秒の三つのクロノグラフ指針の帰零に係る第二の復針伝えレバー（復針伝えレバーＢ）及び復針レバーが占有していた領域に、実際上、第二及び第三の復針伝えレバー２３，２４及び時分クロノグラフ指針帰零用の復針レバー５０を配置すれば足りるので、実際上、その他の時計部品の形状や配置を設計し直す必要がなく、時分秒の三つのクロノグラフ表示用のクロノグラフ時計を分秒の二つのクロノグラフ表示用のクロノグラフ時計に最低限のコストで変更し得る。
【００７７】
以上において、復針レバー５０が相互に分離された二つの案内用長穴５６，５７を有する例について説明したけれども、所望ならば、該長穴５６，５７が一つながりの穴であってもよい。但し、板状の復針レバー５０が非平面状にねじれるのを避けて確実に一平面上に載る状態を保ち得るようにするためには、長穴５６，５７が分離されている方が好ましい。
【００７８】
分クロノグラフ表示を９時の位置で行う代わりに、他の位置で行うようにしてもよい。図４には、分クロノグラフ表示を１１時の位置で行うようにしたクロノグラフ時計１Ｖが示されている。図４のクロノグラフ時計１Ｖにおいて、図１から図３のクロノグラフ時計１の要素（部材や部位等）と同じ要素には同一の符号が付され、クロノグラフ時計１の要素とは異なる点があるけれども大まかには同様な要素には同一の符号の最後に符号「Ｖ」が付されている。
【００７９】
すなわち、クロノグラフ時計１Ｖのクロノグラフ機構２Ｖは、クロノグラフ強制帰零機構５Ｖを備えたクロノグラフ帰零機構４Ｖを有する。
【００８０】
クロノグラフ強制帰零機構５Ｖでは、第二の復針伝えレバー２３Ｖについては、出力側腕部２３ｃＶの長さがクロノグラフ強制帰零機構５の第二の復針伝えレバー２３の出力側腕部２３よりも少し短く、先端部の溝２３ｄがより手前側（ほぼ８時の位置）にある点を除いて、第二の復針伝えレバー２３と同様に構成される。
【００８１】
クロノグラフ強制帰零機構５Ｖでは、第三の復針伝えレバー２４Ｖは、「Ｌ」字状の代わりに、実際上直線状であり、入力側腕部２４ａＶ及び出力側腕部２４ｃＶはほぼ直線状で、両直線状腕部２４ａＶ，２４ｃＶの中間に回転中心Ｃ２４Ｖがある。第三の復針伝えレバー２４Ｖの出力側腕部２４ｃＶの回動方向Ｈ１Ｖ，Ｈ２Ｖは、第三の復針伝えレバー２４の出力側腕部２４ｃの回動方向Ｈ１，Ｈ２とほぼ逆である。
【００８２】
従って、第三の復針伝えレバー２４Ｖの出力側腕部２４ｃＶの先端にある長穴２４ｄＶは、第三の復針伝えレバー２４の出力側腕部２４ｃの先端にある長穴２４ｄとは逆向きに多少曲がっている。
【００８３】
分クロノグラフ真４２Ｖ及び分ハートカム４３Ｖの回転中心軸線ＣＭＶが１１時の位置にあることから、中心軸線Ｃ，ＣＭＶを結ぶ仮想線ＪＶ及びその垂直二等分線ＫａＶの向きが線Ｊ，Ｋａと異なり、線ＫａＶに沿って配設されるガイドピン５１Ｖ，５２Ｖの位置が異なることにより、復針レバー５０Ｖの入力側腕部５３Ｖ及び長穴５６Ｖ，５７Ｖ、並びに出力側腕部５４Ｖ，５５Ｖ及びハンマー５８Ｖ，５９Ｖの圧接面５８ａＶ，５９ａＶの向きが異なる点を除いて、復針レバー５０Ｖは、復針レバー５０と同様に構成される。
【００８４】
この場合にも、リセットボタン２１のＰ１方向の押圧に伴う第一、第二及び第三の復針伝えレバー２２，２３Ｖ，２４Ｖの回動に応じて、作動用長穴２４ｄＶによってＫ１Ｖ方向の力ＦＶを受けて概ねＫ１Ｖ方向に変位される復針レバー５０Ｖは、大径穴部５６ｃＶ，５７ｃＶにガイドピン５１Ｖ，５２Ｖが入ると、出力側腕部５４Ｖ，５５Ｖのハンマー５８Ｖ，５９Ｖの圧接面５８ａＶ，５９ａＶがハートカム３３，４３Ｖから受ける反力Ｆ１Ｖ，Ｆ２Ｖの合力が該力ＦＶと釣合うように自動的に位置調整されて、ハートカム３３，４３Ｖを初期位置に戻す。
【００８５】
さらに、本発明の好ましい実施の形態について、図２，５〜７を参照して詳細に説明する。
（実施の形態２）
【００８６】
本発明の実施の形態２のクロノグラフ時計１は、図２の外観図に示したように、中心軸線Ｃのまわりで回転するクロノグラフ秒針３１を有すると共に９時の位置において中心ＣＭのまわりで回転するクロノグラフ分針４１を有する。クロノグラフ時計１は、また、通常の時刻表示を行う小秒針８１と分針８２と時針８３とを有すると共に日表示８４を有する。この例では、小秒針８１は、３時の位置にある。なお、１１はスタート・ストップ（発停）ボタン、２１はリセット（帰零）ボタン、８５はリュウズである。
【００８７】
クロノグラフ時計１のクロノグラフ機構２は、図２に加えて図５にその一部を平面図で示したように、スタート・ストップ（発停）動作に係るクロノグラフスタート・ストップ（発停）機構３とリセット（帰零）動作に係るクロノグラフリセット（帰零）機構４とを有する。
【００８８】
ほぼ４時半の位置に回転中心Ｃ８がある作動カム８は、外周に偶数個のラチェット歯８ａを備えると共に一側面８ｂにその半数の三角形の駆動歯８ｃを備える。なお、作動カム８の回転位置は、ラチェット歯８ａに対して躍制動作を行う作動カムジャンパ８ｊによって位置決めされる。
【００８９】
クロノグラフ時計１のクロノグラフ計時が停止されている際に、クロノグラフ機構２のスタート・ストップボタン１１がＡ１方向に押圧されると、第一作動レバー（通常は、作動レバーＡと称する）１２が想像線１２ｉで示したように回動中心Ｃ１２のまわりでＢ１方向に回動され、それに応じて第二作動レバー（通常は、作動レバーＢと称する）１３が想像線１３ｉで示したように揺動され、先端の作動爪部１４で作動カム８のラチェット歯８ａに係合して作動カム８をラチェット歯８ａの一歯分だけ回転中心Ｃ８のまわりでＤ１方向に回転させる。作動カム８の回転に応じて、該作動カム８の駆動歯８ｃによってクロノグラフ発停機構３の発停レバーその他の関連部材（図示せず）が作動され、クロノグラフ計時が開始又は再開され、クロノグラフ時計１のクロノグラフ秒針３１及びクロノグラフ分針４１の運針が行われる。
【００９０】
一方、クロノグラフ計時が行われてクロノグラフ秒針３１及びクロノグラフ分針４１の運針が行われている際に、スタート・ストップボタン１１が再度Ａ１方向に押圧されると、第一作動レバー１２が想像線１２ｉで示したように回動中心Ｃ１２のまわりでＢ１方向に回動され、第二作動レバー１３が想像線１３ｉで示したように揺動され、先端の作動爪部１４で作動カム８のラチェット歯８ａに係合して作動カム８をラチェット歯８ａの一歯分だけ更にＤ１方向に回転させる。作動カム８の回転に応じて、該作動カム８の駆動歯８ｃによりクロノグラフ発停機構３の発停レバーその他の関連部材（図示せず）が作動され、クロノグラフ計時が停止され、クロノグラフ時計１のクロノグラフ秒針３１及びクロノグラフ分針４１の運針が停止される。
【００９１】
以上のようなクロノグラフ発停機構３による発停動作自体は、例えば、特許文献１に記載され且つ部分的にはこの明細書で図８として示したとおりであり、また一般的には周知であるので、ここでは、関連機構の図示及び説明は省略する。
【００９２】
次に、クロノグラフ機構２のうちクロノグラフリセット（帰零）機構４について、しかも該クロノグラフリセット機構４のうち帰零指示に係る強制帰零機構５に限って、説明する。
【００９３】
クロノグラフ帰零機構ないしクロノグラフ帰零構造４は、第一の復針伝えレバー２２と第二の復針伝えレバー５２３と第三の復針伝えレバー５２４と復針レバー５５０とを有する。
【００９４】
第一の復針伝えレバー２２（通常は、復針伝えレバーＡと称する）は、ほぼ５時の位置にある中心軸線Ｃ２２のまわりでＥ１，Ｅ２方向に回動可能で、リセットボタン２１に対面する位置に基端側腕部２２ａを備える。第一の復針伝えレバー２２は、リセットボタン２１がＰ１方向に押圧されると、図５において実線で示した位置から想像線２２ｉで示した位置にＥ１方向に回動される。
【００９５】
第二の復針伝えレバー５２３（入力側部分は、通常、復針伝えレバーＢと称されるものと同様な構造を有する）は、ほぼ６時半の位置にある中心軸線Ｃ５２３のまわりでＧ１，Ｇ２方向に回動可能で、入力側腕部５２３ａ及び出力側腕部５２３ｃを有する。第二の復針伝えレバー５２３は、入力側腕部５２３ａの長穴５２３ｂで第一の復針伝えレバー２２の腕部２２ｂのピン２２ｃに係合している。ここで、ピン２２ｃは、ほぼ６時の位置にある。第二の復針伝えレバー５２３は、リセットボタン２１のＰ１方向押圧に応じて第一復針伝えレバー２２が実線位置からＥ１方向に回動されると、図５において実線で示した位置から想像線５２３ｉで示した位置にＧ１方向に回動される。第二の復針伝えレバー５２３は、出力側腕部５２３ｃの先端部に扇形歯車５２３ｄを備える。
【００９６】
第三の復針伝えレバー５２４は、ほぼ８時の位置にある中心軸線Ｃ５２４のまわりでＨ１，Ｈ２方向に回動可能で、入力側腕部５２４ａと出力側腕部５２４ｃとを有する。第三の復針伝えレバー５２４は、入力側腕部２４ａに扇形歯車５２４ｂを備え、該扇形歯車５２４ｂで第二の復針伝えレバー５２３の出力側腕部５２３ｃの扇形歯車５２３ｄに噛合している。
【００９７】
第三の復針伝えレバー５２４は、リセットボタン２１のＰ１方向押圧に応じた第一復針伝えレバー２２のＥ１方向回動に伴って第二の復針伝えレバー５２３が実線位置からＧ１方向に回動されると、図５において実線で示した位置から想像線５２４ｉで示した位置（図６において実線で示した位置）にＨ１方向に回動される。
【００９８】
なお、図５からわかるとおり、クロノグラフ秒針３１が取付けられた秒クロノグラフ真３２には秒ハートカム３３が取付けられ、クロノグラフ分針４１が取付けられた分クロノグラフ真４２には分ハートカム４３が取付けられている。
【００９９】
クロノグラフ地板７には、秒クロノグラフ真３２の中心Ｃと分クロノグラフ真４２の中心ＣＭとを結ぶ仮想線Ｊの垂直二等分線をなす案内線Ｋａの延在方向Ｋに沿って一列に並ぶように一対のガイドピン５５１，５５２が突設されている。ガイドピン５５１，５５２は同一径の円柱状である。
【０１００】
復針レバー５５０は、全体として飛んでいる鳥のような形状すなわち飛鳥形状を有し、短い頭部をなす入力側腕部５５３と、該入力側腕部５５３からまっすぐ長く延びた胴尾部をなす案内腕部５５４と、入力側腕部（頭部）５５３と案内腕部（胴尾部）５５４との接続部（仮想線Ｊよりも入力側腕部５５３に近接した部位）から概ねハートカム３３，４３に向かって両側に拡がるように延びた一対の羽根をなす出力側腕部５５５，５５６とを有する。
【０１０１】
出力側腕部５５５，５５６の先端は秒ハンマー５５７及び分ハンマー５５８をなし該ハンマー５５７，５５８の先端には圧接面５５７ａ，５５８ａが形成されている。この例では、出力側腕部５５５，５５６の先端のハンマー５５７，５５８の圧接面５５７ａ，５５８ａは仮想線Ｊの垂直二等分線Ｋａについて鏡映対称である。
【０１０２】
復針レバー５５０は、入力側腕部をなす頭部５５３に被作動部としての被作動ピン５５３ａを備え該被作動ピン５５３ａで第三の復針伝えレバー５２４の先端側腕部５２４ｃの作動用長穴５２４ｄに係合し、胴尾部をなす案内腕部５５４の長手方向に沿って形成された長穴５５９でガイドピン５５１，５５２に係合している。
【０１０３】
従って、復針レバー５５０は、大まかには、案内腕部５５４の延在方向Ｋに一致する長穴５５９の延在方向Ｋに沿って、Ｋ１，Ｋ２方向に移動可能であり、リセットボタン２１のＰ１方向押圧に伴って第三の復針伝えレバー５２４がＨ１方向に回動されると、ガイドピン５５１，５５２に案内されてＫ１方向に移動可能である。
【０１０４】
より詳しくは、長穴５５９は、幅が同一で一定の本体部５５９ａ，５５９ｂに加えて、その中間部に大径の穴部５５９ｃを備える。穴部５５９ｃの径Ｌ１は、本体部５５９ａ，５５９ｂの幅Ｗ１よりも多少大きい。従って、復針レバー５５０がＫ１方向に移動されて先端側ガイドピン５５２が穴部５５９ｃに入ると、先端側ガイドピン５５２の外周と穴部５５９ｃの周壁との間に多少の圧接時隙間ｇ１ができる。その結果、ガイドピン５５２は、穴部５５９ｃ内で、その周壁に当たるまでいずれの方向にも相対変位可能になる。すなわち、案内腕部５５４が、クロノグラフ地板７に対して、Ｋ方向のみならず、該Ｋ方向に対して交差する方向にも相対変位可能になり、案内腕部５５４が、クロノグラフ地板７に対して採る向き乃至姿勢が変更可能になる。以上において、圧接時隙間ｇ１は該ガイドピン５５２が本体部５５９ｂ内にあるときの圧接前隙間ｇ０（図５参照、但し、隙間ｇ０は実際上図示できないので、隙間としては見えない）よりも大きい。
【０１０５】
なお、復針レバー５５０の頭部ないし入力側腕部５５３にある被作動ピン５５３ａは、第三の復針伝えレバー５２４の出力側腕部５２４ｃの作動部としての長穴５２４ｄ内にあり、該長穴５２４ｄは少なくともＫ方向に対して多少なりとも交差する方向に延びているので、該被作動ピン５５３ａは第三の復針伝えレバー５２４やクロノグラフ地板７に対してＫ方向に交差する方向に相対変位可能である。
【０１０６】
従って、復針レバー５５０がＫ１方向に変位されて案内用長穴５５９の大径穴部５５９ｃがガイドピン５５１ｂに嵌合する位置に達すると、復針レバー５５０は、先端側ガイドピン５５２と大径穴部５５９ｃとの間の前記圧接時隙間ｇ１及び作動用長穴５２４ｄの長手方向空所の存在の故に、クロノグラフ地板７に対して、Ｒ１，Ｒ２方向に揺動可能である。なお、このとき、作動用長穴５２４ｄの作動部としての壁部５２４ｅは、復針レバー５５０の被作動ピン５５３ａをＫ１方向に押すように形成されている。
【０１０７】
すなわち、被作動ピン５５３ａで作動部をなす長穴５２４ｄの壁部によりＫ１方向の力を受けた復針レバー５５０の出力側腕部５５５及び５５６の秒ハンマー５５７及び分ハンマー５５８が、秒ハートカム３３及び分ハートカム４３に圧接されるように復針レバー５５０がＫ１方向に移動されると、図５において、想像線５５０ｉで示したように、ガイドピン５５２が長穴５５９の大径穴部５５９ｃ内に入るので、復針レバー５５０は、クロノグラフ地板７に対して、単にＫ１方向に移動されるだけではなく、Ｒ１方向やＲ２方向に揺動可能になる。
【０１０８】
第三の復針伝えレバー５２４のＨ１方向回動に伴う復針レバー５５０のＫ１方向移動は、復針レバー５５０の一対の出力側腕部５５５，５５６が、秒ハンマー及び分ハンマーとして働く先端部５５７，５５８で対応するハートカム３３，４３に圧接され、該ハンマー５５７，５５８の先端面５５７ａ，５５８ａがハートカム３３，４３の基準面３３ａ，４３ａに当接すると、停止される。
【０１０９】
すなわち、復針レバー５５０のハンマー５５７，５５８がその圧接面５５７ａ，５５８ａで対応するハートカム３３，４３の基準面３３ａ，４３ａに圧接される状態になり且つ第三の復針伝えレバー５２４の腕部５２４ｃの作動用長穴部５２４ｄが被作動部としての被作動ピン５５３ａ（復針レバー５５０の入力側腕部５５３の被作動ピン５５３ａ）に対して概ねＫ１方向に及ぼすリセット力Ｆが、秒ハートカム３３が基準面３３ａにおいて復針レバー５５０の一方の出力側腕部５５５の秒ハンマー５５７の先端面５５７ａに及ぼす反力Ｆ１及び分ハートカム４３が基準面４３ａにおいて復針レバー５５０の他方の出力側腕部５５６の分ハンマー５５８の先端面５５８ａに及ぼす反力Ｆ２の合力と丁度釣合うようになるまで、復針レバー５５０の姿勢が変動し、該圧接が完了し該力の釣合い実現されるところで復針レバー５５０が停止する。すなわち、セルフアラインメント動作が行われることになる。
【０１１０】
ここで、ガイドピン５５１，５５２が仮想線Ｊに対して直交する線Ｋａに沿って延び、且つ出力側腕部５５５，５５６が線Ｋａに関して鏡映対称な形状を有するので、上記の帰零が容易且つ確実に行われ易く、ハートカム３３，４３の両方が丁度初期位置を採るように回転され、基準面３３ａ，４３ａがそれに応じた回転位置を採るところで復針レバー５５０の出力側腕部５５５，５５６のハンマー５５７，５５８の圧接面５５７ａ，５５８ａが圧接されて、セルフアラインメントが達成される。
【０１１１】
以上の如く構成されたクロノグラフ帰零機構４の強制帰零機構５では、図５と図８とを対比させればわかるように、時分秒の三つのクロノグラフ指針を備えこれら三つのクロノグラフ指針を強制帰零させる場合と比較して、時クロノグラフ表示及び時分秒の三つのクロノグラフ指針の帰零に係る第二の復針伝えレバー（復針伝えレバーＢ）及び復針レバーが占有していた領域に、実際上、第二及び第三の復針伝えレバー５２３，５２４及び時分クロノグラフ指針帰零用の復針レバー５５０を配置すれば足りるので、実際上、その他の時計部品の形状や配置を設計し直す必要がなく、時分秒の三つのクロノグラフ表示用のクロノグラフ時計を分秒の二つのクロノグラフ表示用のクロノグラフ時計に最低限のコストで変更し得る。
【０１１２】
以上においては、ガイドピン５５１，５５２が一つながりの長穴５５９内に位置する例について説明したけれども、案内腕部５５４の変形を避けるためには、ガイドピン５５１，５５２が嵌る長穴は分離されていてもよい。
【０１１３】
分クロノグラフ表示を９時の位置で行う代わりに、他の位置で行うようにしてもよい。図７には、分クロノグラフ表示を８時の位置で行うようにしたクロノグラフ時計１Ｖが示されている。図７のクロノグラフ時計１Ｖにおいて、図２，５，６のクロノグラフ時計１の要素（部材や部位等）と同じ要素には同一の符号が付され、クロノグラフ時計１の要素とは異なる点があるけれども大まかには同様な要素には同一の符号の最後に符号「Ｖ」が付されている。
【０１１４】
すなわち、クロノグラフ時計１Ｖのクロノグラフ機構２Ｖは、クロノグラフ強制帰零機構５Ｖを備えたクロノグラフ帰零機構４Ｖを有する。
【０１１５】
クロノグラフ強制帰零機構５Ｖでは、第二の復針伝えレバー５２３Ｖについては、出力側腕部５２３ｃＶの長さがクロノグラフ強制帰零機構５の第二の復針伝えレバー５２３の出力側腕部５２３よりも少し短く、先端部の扇形歯車５２３ｄＶがより手前側で且つ中心Ｃに近い側に張出している点を除いて、第二の復針伝えレバー５２３と同様に構成される。
【０１１６】
クロノグラフ強制帰零機構５Ｖでは、第三の復針伝えレバー５２４Ｖは、入力側腕部５２４ａＶよりも出力側腕部５２４ｃＶの方が腕の長さが長く、第三の復針伝えレバー５２４Ｖの回転中心Ｃ５２４Ｖは、クロノグラフ強制帰零機構５の第三の復針伝えレバー５２４の回転中心Ｃ５２４よりも２０度程度３時側にずれた位置にあり、出力側腕部５２４ｃＶの作動用長穴部５２４ｄＶは８時の方向に対して直交する向き（１１時の向きと概ね平行な向き）に被作動ピン５５３ａＶを押す。
【０１１７】
分クロノグラフ真４２Ｖ及び分ハートカム４３Ｖの回転中心軸線ＣＭＶが８時の位置にあることから、中心軸線Ｃ，ＣＭＶを結ぶ仮想線ＪＶ及びその垂直二等分線ＫａＶの向きが線Ｊ，Ｋａと異なり、線ＫａＶに沿って配設されるガイドピン５５１Ｖ，５５２Ｖの位置が異なることにより、復針レバー５５０Ｖの入力側腕部５５３Ｖ及び長穴５５９Ｖ、並びに出力側腕部５５５Ｖ，５５６Ｖ及びハンマー５５７Ｖ，５５８Ｖの圧接面５５７ａＶ，５５８ａＶの向きが異なる点を除いて、復針レバー５５０Ｖは、復針レバー５５０と同様に構成される。
【０１１８】
この場合にも、リセットボタン２１のＰ１方向の押圧に伴う第一、第二及び第三の復針伝えレバー２２，５２３Ｖ，５２４Ｖの回動に応じて、作動用長穴５２４ｄＶによってＫ１Ｖ方向の力ＦＶを受けて概ねＫ１Ｖ方向に変位される復針レバー５５０Ｖは、大径穴部５５９ｃＶにガイドピン５５２Ｖが入ると、出力側腕部５５５Ｖ，５５６Ｖのハンマー５５７Ｖ，５５８Ｖの圧接面５５７ａＶ，５５８ａＶがハートカム３３，４３Ｖから受ける反力Ｆ１Ｖ，Ｆ２Ｖの合力が該力ＦＶと釣合うように自動的に位置調整されて、ハートカム３３，４３Ｖを初期位置に戻す。
【符号の説明】
【０１１９】
１，１Ｖ  クロノグラフ時計
２，２Ｖ  クロノグラフ機構
３  クロノグラフスタート・ストップ機構
４，４Ｖ  クロノグラフリセット（帰零）機構（クロノグラフ帰零構造）
５，５Ｖ  クロノグラフ強制リセット（帰零）機構
６，６Ｖ  復針伝えレバー機構  ７  クロノグラフ地板
８  作動カム
８ａ  ラチェット歯
８ｃ  駆動歯
８ｊ  作動カムジャンパ
１１  スタート・ストップ（発停）ボタン
１２，１２ｉ  第一作動レバー（作動レバーＡ）
１３，１３ｉ  第二作動レバー（作動レバーＢ）
１４  作動爪部
２１  リセット（帰零）ボタン
２２，２２ｉ  第一の復針伝えレバー（復針伝えレバーＡ）
２２ａ  基端側腕部
２３，２３ｉ，２３Ｖ  第二の復針伝えレバー（復針伝えレバーＢ）
２３ａ，２３ｃ，２３ｃＶ  腕部
２３ｂ  長穴
２３ｄ，２３ｄＶ  溝部
２４，２４ｉ，２４Ｖ  第三の復針伝えレバー
２４ａ，２４ａＶ  入力側腕部
２４ｂ  ピン
２４ｃ，２４ｃＶ  先端側腕部（出力側腕部）
２４ｄ，２４ｄＶ  長穴（作動用長穴）
２４ｅ，２４ｅＶ  圧接時当接壁部
３１  クロノグラフ秒針
３２  秒クロノグラフ真
３３  秒ハートカム
３３ａ  基準面
４１  クロノグラフ分針
４２，４２Ｖ  分クロノグラフ真
４３，４３Ｖ  分ハートカム
４３ａ，４３ａＶ  基準面
５０，５０Ｖ  復針レバー
５１，５２，５１Ｖ，５２Ｖ  ガイドピン
５３，５３Ｖ  入力側腕部
５３ａ  基端
５３ｂ，５３ｂＶ  ピン（被作動ピン）
５４，５５，５４Ｖ，５５Ｖ  出力側腕部
５６，５７，５６Ｖ，５７Ｖ  長穴
５６ａ，５７ａ  本体部
５６ｂ，５７ｂ  端部
５６ｃ，５７ｃ，５６ｃＶ，５７ｃＶ  大径穴部
５８，５８Ｖ  秒ハンマー
５８ａ，５９ａ，５８ａＶ，５９ａＶ  先端面（圧接面）
５９，５９Ｖ  分ハンマー
８１  小秒針
８２  分針
８３  時針
８４  日表示
８５  リュウズ
５２３，５２３ｉ，５２３Ｖ  第二の復針伝えレバー
５２３ａ，５２３ｃ，５２３ｃＶ  腕部
５２３ｂ  長穴
５２３ｄ，５２３ｄＶ  扇形歯車
５２４，５２４ｉ，５２４Ｖ  第三の復針伝えレバー
５２４ａ，５２４ａＶ  入力側腕部
５２４ｂ，５２４ｂＶ  扇形歯車
５２４ｃ，５２４ｃＶ  先端側腕部（出力側腕部）
５２４ｄ，５２４ｄＶ  長穴（作動用長穴）
５２４ｅ  長穴（内壁部）
５５０，５５０ｉ，５５０Ｖ  復針レバー
５５１，５５２，５５１Ｖ，５５２Ｖ  ガイドピン
５５３，５５３Ｖ  入力側腕部（頭部）
５５３ａ，５５３ａＶ  ピン（被作動ピン）
５５４，５５４Ｖ  案内腕部（胴尾部）
５５５，５５６，５５５Ｖ，５５６Ｖ  出力側腕部
５５７，５５７Ｖ  秒ハンマー
５５７ａ，５５８ａ，５５７ａＶ，５５８ａＶ  先端面（圧接面）
５５８，５５８Ｖ  分ハンマー
５５９，５５９Ｖ  長穴
５５９ａ，５５９ｂ  長穴本体部
５５９ｃ，５５９ｃＶ  大径穴部
Ａ１，Ｐ１  押圧方向
Ｂ１，Ｅ１，Ｅ２，Ｇ１，Ｇ２，Ｇ１Ｖ，Ｇ２Ｖ，Ｈ１，Ｈ２，Ｈ１Ｖ，Ｈ２Ｖ  回動方向
Ｄ１  回転方向
Ｃ，Ｃ８，Ｃ１２，Ｃ２２，Ｃ２３，Ｃ２４，ＣＭ，Ｃ２３Ｃ，ＣＭＶ  回転中心軸線
Ｆ，Ｆ１，Ｆ２  力
Ｋ，Ｋ１，Ｋ２，Ｋ１Ｖ，Ｋ２Ｖ  方向
Ｊ，Ｋａ，ＪＶ，ＫａＶ  線
ｇ０  圧接前隙間
ｇ１，ｇ２  圧接時隙間
【図１】
2010181396.tif 000003
【図２】
2010181396.tif 000004
【図３】
2010181396.tif 000005
【図４】
2010181396.tif 000006
【図５】
2010181396.tif 000007
【図６】
2010181396.tif 000008
【図７】
2010181396.tif 000009
【図８】
2010181396.tif 000010
【図９】
2010181396.tif 000011
【図１０】
2010181396.tif 000012